(57)【要約】【課題】サーメット棒を効率的に且つ容易に切断することができる切断技術を提供する。【解決手段】サーメット棒切断装置は、サーメット棒を固定するためのサーメット棒固定装置と、該サーメット棒固定装置に固定されたサーメット棒を切断するための複数の回転刃を備えた回転カッターと、を有する。前記サーメット棒固定装置は、互いに平行に並んで形成された複数のサーメット棒用溝を備えた固定板と、該固定板のサーメット棒用溝に配置されたサーメット棒を支持するために前記固定板に装着可能な第１の押さえ部材と、を有する。前記第１の押さえ部材は、前記複数の回転刃のピッチと同一のピッチの複数のカッター用スリットを有し、前記回転カッターによって前記固定板のサーメット棒用溝に配置されたサーメット棒を切断するとき、前記複数の回転刃は、前記第１の押さえ部材のカッター用スリットに挿入するように構成されている。【選択図】図１
2014042975.tif 000002
【特許請求の範囲】
【請求項１】
サーメット棒を固定するためのサーメット棒固定装置と、該サーメット棒固定装置に固定されたサーメット棒を切断するための複数の回転刃を備えた回転カッターと、を有するサーメット棒切断装置において、
前記サーメット棒固定装置は、互いに平行に並んで形成された複数のサーメット棒用溝を備えた固定板と、該固定板のサーメット棒用溝に配置されたサーメット棒を支持するために前記固定板に装着可能な第１の押さえ部材と、を有し、
前記第１の押さえ部材は、前記複数の回転刃のピッチと同一のピッチの複数のカッター用スリットを有し、前記回転カッターによって前記固定板のサーメット棒用溝に配置されたサーメット棒を切断するとき、前記複数の回転刃は、前記第１の押さえ部材のカッター用スリットに挿入するように構成されていることを特徴とするサーメット棒切断装置。
【請求項２】
請求項１記載のサーメット棒切断装置において、
前記サーメット棒固定装置は、前記固定板のサーメット棒用溝に配置されたサーメット棒を支持するための第２の押さえ部材、を有し、該第２の押さえ部材は、前記第１の押さえ部材の両側にて前記第１の押さえ部材より所定の隙間を設けて前記固定板に装着可能であり、前記回転カッターによって前記固定板のサーメット棒用溝に配置されたサーメット棒を切断するとき、前記複数の回転刃は、前記第１の押さえ部材のカッター用スリットと、前記第１の押さえ部材と前記第２の押さえ部材の間に形成された隙間に挿入するように構成されていることを特徴とするサーメット棒切断装置。
【請求項３】
請求項１又は２記載のサーメット棒切断装置において、
前記固定板は、前記複数の回転刃のピッチと同一のピッチの複数のカッター用溝を有し、前記回転カッターによって前記固定板のサーメット棒用溝に配置されたサーメット棒を切断するとき、前記複数の回転刃は、前記固定板の複数のカッター用溝に挿入するように構成されていることを特徴とするサーメット棒切断装置。
【請求項４】
請求項１〜３のいずれか１項記載のサーメット棒切断装置において、
前記サーメット棒用溝のピッチは前記サーメット棒の外径より大きく、前記サーメット棒用溝に配置された複数のサーメット棒は互いに接触しないように構成されていることを特徴とするサーメット棒切断装置。
【請求項５】
請求項１〜４のいずれか１項記載のサーメット棒切断装置において、
前記第１の押さえ部材は矩形断面の板材に凹部を形成することによって形成され、該凹部は前記固定板に係合することができるように構成されていることを特徴とするサーメット棒切断装置。
【請求項６】
請求項１〜５のいずれか１項記載のサーメット棒切断装置において、
前記第１の押さえ部材は、前記固定板のサーメット棒用溝に配置されたサーメット棒に接触する部分に弾性部材を備えていることを特徴とするサーメット棒切断装置。
【請求項７】
請求項２記載のサーメット棒切断装置において、
前記第２の押さえ部材は、前記固定板のサーメット棒用溝に配置されたサーメット棒に接触する部分に弾性部材を備えていることを特徴とするサーメット棒切断装置。
【発明の詳細な説明】
【技術分野】
【０００１】
本発明は、サーメット棒を切断するための切断装置に関する。
【背景技術】
【０００２】
セラミックメタルハライドランプの発光管には１対の電極アセンブリが設けられている。電極アセンブリでは、電極を封着するための封着性導電部材として導電性サーメット棒が用いられる。この導電性サーメット棒の直径は通常１ｍｍ以下であり、例えば、０．５０〜０．９５ｍｍである。また、その長さは、５〜７ｍｍであるが、１０〜２０ｍｍのものもある。
【０００３】
導電性サーメットは、金属材料とセラミック材料との混合物を焼結した焼結体である。金属材料としては、耐ハロゲン性のある材料が好ましく、例えばタングステン（Ｗ）、モリブデン（Ｍｏ）、白金（Ｐｔ）、イリジウム（Ｉｒ）、レニウム（Ｒｅ）、ロジウム（Ｒｈ）等が挙げられる。また、セラミック材料としては、例えばアルミナ（Ａｌ２Ｏ３）、イットリア（Ｙ２Ｏ３）、シリカ（ＳｉＯ２）、およびジルコニア（ＺｒＯ２）等の酸化物系や、窒化アルミニウム（ＡｌＮ）等の窒化物系がある。
【０００４】
導電性サーメットの製造方法を簡単に説明する。先ず、平均粒径１〜５μｍの金属微粉末と、平均粒径１μｍのセラミック顆粒または擬集粒子とを１：１の比率で混合し、金属粒子にセラミック顆粒がほぼ均等に被覆された粉末を作製する。次に、この粉末を押出し成形後に真空中１６００℃で加熱し、焼結処理を行う。それによって、金属粒子が部分的に網状構造をなし、導電性のサーメット棒が得られる。こうして得られた導電性サーメット棒の長さ寸法は８０〜１００ｍｍ程度である。これをダイヤモンドカッタ等によって切断して、電極アセンブリで用いられる導電性サーメット棒を得る。
【先行技術文献】
【特許文献】
【０００５】
【特許文献１】特開２０１０−１７７０９２号公報
【特許文献２】特開２００５−０１１７４５号公報
【発明の概要】
【発明が解決しようとする課題】
【０００６】
サーメット棒は細く且つ極めて硬いので、従来、効率的にサーメット棒を切断する方法が無かった。例えば、サーメット棒を１本づつ１枚のカッターで切断する方法が採用されていた。この方法は、非効率的である。そこで固定板に複数のサーメット棒を固定し、１枚のカッターで同時に切断する方法が用いられる。しかしながら、この場合には、固定板に並べたサーメット棒が、切断中に暴れてカッターが破損することがある。
【０００７】
本発明の目的は、サーメット棒を効率的に且つ容易に切断することができる切断技術を提供することにある。
【課題を解決するための手段】
【０００８】
本発明によると、サーメット棒を固定するためのサーメット棒固定装置と、該サーメット棒固定装置に固定されたサーメット棒を切断するための複数の回転刃を備えた回転カッターと、を有するサーメット棒切断装置において、前記サーメット棒固定装置は、互いに平行に並んで形成された複数のサーメット棒用溝を備えた固定板と、該固定板のサーメット棒用溝に配置されたサーメット棒を支持するために前記固定板に装着可能な第１の押さえ部材と、を有し、前記第１の押さえ部材は、前記複数の回転刃のピッチと同一のピッチの複数のカッター用スリットを有し、前記回転カッターによって前記固定板のサーメット棒用溝に配置されたサーメット棒を切断するとき、前記複数の回転刃は、前記第１の押さえ部材のカッター用スリットに挿入するように構成されている。
【０００９】
本実施形態によると、サーメット棒切断装置において、前記サーメット棒固定装置は、前記固定板のサーメット棒用溝に配置されたサーメット棒を支持するための第２の押さえ部材、を有し、該第２の押さえ部材は、前記第１の押さえ部材の両側にて前記第１の押さえ部材より所定の隙間を設けて前記固定板に装着可能であり、前記回転カッターによって前記固定板のサーメット棒用溝に配置されたサーメット棒を切断するとき、前記複数の回転刃は、前記第１の押さえ部材のカッター用スリットと、前記第１の押さえ部材と前記第２の押さえ部材の間に形成された隙間に挿入するように構成されてよい。
【００１０】
本実施形態によると、サーメット棒切断装置において、前記固定板は、前記複数の回転刃のピッチと同一のピッチの複数のカッター用溝を有し、前記回転カッターによって前記固定板のサーメット棒用溝に配置されたサーメット棒を切断するとき、前記複数の回転刃は、前記固定板の複数のカッター用溝に挿入するように構成されてよい。
【００１１】
本実施形態によると、サーメット棒切断装置において、前記サーメット棒用溝のピッチは前記サーメット棒の外径より大きく、前記サーメット棒用溝に配置された複数のサーメット棒は互いに接触しないように構成されてよい。
【００１２】
本実施形態によると、サーメット棒切断装置において、前記固定板は、サーメット棒支持部と該サーメット棒支持部の両側の取付部を有し、前記サーメット棒支持部に前記サーメット棒用溝が設けられ、前記サーメット棒支持部における前記固定板の厚さは、前記取付部における前記固定板の厚さより大きく、前記サーメット棒支持部の上面と前記取付部の上面の境界に段差が形成されてよい。
【００１３】
本実施形態によると、サーメット棒切断装置において、前記第１の押さえ部材は矩形断面の板材に凹部を形成することによって形成され、該凹部は前記固定板に係合することができるように構成されてよい。
【００１４】
本実施形態によると、サーメット棒切断装置において、前記第１の押さえ部材は、前記固定板のサーメット棒用溝に配置されたサーメット棒に接触する部分に弾性部材を備えてよい。
【００１５】
本実施形態によると、サーメット棒切断装置において、前記第２の押さえ部材は、前記固定板のサーメット棒用溝に配置されたサーメット棒に接触する部分に弾性部材を備えてよい。
【００１６】
本発明によると、複数の回転刃を備えた回転カッターによって切断するサーメット棒を固定するためのサーメット棒固定装置において、互いに平行に並んで形成された複数のサーメット棒用溝を備えた固定板と、該固定板のサーメット棒用溝に配置されたサーメット棒を支持するために前記固定板に装着可能な第１の押さえ部材と第２の押さえ部材を有し、前記第１の押さえ部材は、前記複数の回転刃のピッチと同一のピッチの複数のカッター用スリットを有し、前記第２の押さえ部材は、前記第１の押さえ部材の両側にて前記第１の押さえ部材より所定の隙間を設けて前記固定板に装着可能であり、前記回転カッターによって前記固定板のサーメット棒用溝に配置されたサーメット棒を切断するとき、前記複数の回転刃は、前記第１の押さえ部材のカッター用スリットと、前記第１の押さえ部材と前記第２の押さえ部材との間に形成された隙間に挿入するように構成されている。
【００１７】
本実施形態によると、サーメット棒固定装置において、前記固定板は、前記複数の回転刃のピッチと同一のピッチの複数のカッター用溝を有し、前記回転カッターによって前記固定板のサーメット棒用溝に配置されたサーメット棒を切断するとき、前記複数の回転刃は、前記固定板の複数のカッター用溝に挿入するように構成されてよい。
【００１８】
本実施形態によると、サーメット棒固定装置において、前記固定板は、矩形の板材によって形成され、サーメット棒支持部と該サーメット棒支持部の両側の取付部を有し、前記サーメット棒支持部に前記サーメット棒用溝が設けられ、前記サーメット棒支持部における前記固定板の厚さは、前記取付部における前記固定板の厚さより大きく、前記サーメット棒支持部の上面と前記取付部の上面の境界に段差が形成されてよい。
【００１９】
本実施形態によると、サーメット棒固定装置において、前記第１の押さえ部材は矩形断面の板材に凹部を形成することによって形成され、該凹部は前記固定板に係合することができるように構成されてよい。
【００２０】
本実施形態によると、サーメット棒固定装置において、前記第１の押さえ部材と前記第２の押さえ部材は、前記固定板のサーメット棒用溝に配置されたサーメット棒に接触する部分に弾性部材を備えてよい。
【発明の効果】
【００２１】
本発明によれば、サーメット棒を効率的に且つ容易に切断することができる切断技術を提供することができる。
【図面の簡単な説明】
【００２２】
【図１】図１は、本実施態様によるサーメット棒切断装置の外観を示す図である。
【図２】図２は、本実施形態によるサーメット棒固定装置の構造及び組立方法を説明する図である。
【図３】図３は、本実施形態によるサーメット棒固定装置の固定板の上にサーメット棒を配置する方法を説明する図である。
【図４】図４は、本実施形態によるサーメット棒固定装置の固定板のサーメット棒支持部のサーメット棒用溝に、サーメット棒を配置する方法を説明する図である。
【図５】図５は、本実施形態によるサーメット棒固定装置の固定板のサーメット棒支持部の上に配置されたサーメット棒の支持状態を説明する図である。
【発明を実施するための形態】
【００２３】
以下、本発明に係るサーメット棒切断装置及びサーメット棒固定装置の実施形態に関して、添付の図面を参照しながら詳細に説明する。なお、図中、同じ要素に対しては同じ参照符号を付して、重複した説明を省略する。
【００２４】
図１を参照して本発明の実施態様によるサーメット棒切断装置を説明する。本実施形態のサーメット棒切断装置は、回転カッター３とサーメット棒固定装置１を有する。回転カッター３は、回転軸３０とその周りに装着された複数の円形の回転刃を備えており、図示の例では、互いに平行に所定の間隔にて配置された９枚の回転刃３１〜３９を備える。
【００２５】
サーメット棒固定装置１は、固定板１０と、第１の押さえ部材２０と、第２の押さえ部材２２、２４を有する。固定板、第１及び第２の押さえ部材は、例えば、ステンレス鋼によって形成されてよい。
【００２６】
固定板１０及び第１及び第２の押さえ部材２０、２２、２４の構造及び組立方法は後に詳細に説明するが、ここでは、図１の説明上必要な概略のみを説明する。固定板１０の上面には、固定板１０の長手方向に沿って、平行に並んだ複数の溝、即ちサーメット棒用溝が形成され、そこにサーメット棒を配置することができる。サーメット棒用溝に配置されたサーメット棒は、それぞれ隣接するサーメット棒に接触しないように、互いに離れて配置されている。その上から第１及び第２の押さえ部材２０、２２、２４を配置する。ボルト２７によって第１及び第２の押さえ部材２０、２２、２４を固定板１０の上に固定する。第１及び第２の押さえ部材２０、２２、２４がサーメット棒と接触する面には弾性部材が装着されている。こうして、複数のサーメット棒は、それぞれ隣接するサーメット棒に接触しないように、サーメット棒固定装置１に固定される。
【００２７】
第１の押さえ部材２０には複数の切り込み、即ち、カッター用スリット２０１が形成されている。図示の例では、７列のカッター用スリット２０１が形成されている。第１の押さえ部材２０と第２の押さえ部材２２、２４の間に隙間２０２、２０３が、それぞれ、形成されている。
【００２８】
サーメット棒を切断する方法を説明する。サーメット棒を、回転カッター３の回転軸３０に平行になるように、サーメット棒固定装置１に装着する。回転カッター３をサーメット棒固定装置１に対して相対的に近付く方向へ移動させる。回転カッター３は、サーメット棒固定装置１の一方の側部に沿って配置される。９枚の回転刃のうち、両側の回転刃３１、３９は、第１の押さえ部材２０と第２の押さえ部材２２、２４の間の隙間２０２、２０３に、それぞれ挿入され、中央の７枚の回転刃３２〜３８は、第１の押さえ部材２０のカッター用スリット２０１に挿入される。このとき、回転刃の先端は、サーメット棒の列の外側に配置され、サーメット棒に接触していない。次に、回転カッター３を、固定板１０に平行な面に沿って移動させる。回転刃３１〜３９は、隙間２０２、２０３及びカッター用スリット２０１に挿入された状態で固定板１０に平行な面に沿って移動する。
【００２９】
回転カッター３が、サーメット棒固定装置１の一方の側部から他方の側部へ、固定板１０に平行な面に沿って移動すると、複数のサーメット棒は順に切断される。次に、回転カッター３を、サーメット棒固定装置１に対して相対的に遠ざかる方向へ移動させる。
【００３０】
次に、切断されたサーメット棒を取り出す。先ず、ボルト２７を外して、両側の第２の押さえ部材２２、２４を外す。第２の押さえ部材２２、２４の下には、サーメット棒の両側の切り取り部分が保持されている。従って、第２の押さえ部材２２、２４を外すと、不要な切り取り部分を除去することができる。次に、ボルト２７を外して、第１の押さえ部材２０を外す。第１の押さえ部材２０の下に、所定の寸法に切断されたサーメット棒が保持されている。第１の押さえ部材２０を外すと、所定の寸法のサーメット棒を取り出すことができる。本実施形態では、押さえ部材は、第１の押さえ部材２０と第２の押さえ部材２２、２４に分離されており、それぞれ別個に固定板１０より外すことができる。従って、サーメット棒を切断した後に、不要な切り取り部分と所定の寸法のサーメット棒を分離して取り出すことができる。そのため、所定の寸法のサーメット棒と不要な切り取り部分を分別する作業が不要となる。
【００３１】
図２を参照して本実施形態によるサーメット棒固定装置１の構造及び組立方法を詳細に説明する。サーメット棒固定装置１は、固定板１０と、第１の押さえ部材２０と、第２の押さえ部材２２、２４を有する。
【００３２】
固定板１０は、矩形の板材によって形成されてよい。固定板１０は中央部分のサーメット棒支持部１０Ａとその両側の取付部１０Ｂ、１０Ｃを有する。両側の取付部１０Ｂ、１０Ｃは、サーメット棒切断装置に設けられた図示しない固定部に取り付けられる。固定板１０の長手方向の寸法をＬ、幅方向の寸法をＢとする。サーメット棒支持部１０Ａの長手方向の寸法をＬ１、取付部１０Ｂ、１０Ｃの長手方向の寸法を、それぞれＬ２、Ｌ３とする。Ｌ=Ｌ１＋Ｌ２＋Ｌ３である。サーメット棒支持部１０Ａにおける固定板の厚さは、取付部１０Ｂ、１０Ｃにおける固定板の厚さより大きい。従って、サーメット棒支持部１０Ａの上面と取付部１０Ｂ、１０Ｃの上面の境界に段差１０ｂ、１０ｃが形成されている。
【００３３】
サーメット棒支持部１０Ａの上面には、固定板１０の幅方向に沿って、複数のカッター用溝１０１が平行に並んで形成されている。図示の例では、９列のカッター用溝１０１が形成されている。即ち、回転カッター３の回転刃と同数のカッター用溝１０１が形成されている。隣接する２つのカッター用溝１０１の間の間隔、即ち、溝ピッチは、回転カッター３の隣接する２つの回転刃の間隔、即ち、回転刃ピッチに等しい。
【００３４】
カッター用溝１０１の断面形状は矩形であってよい。サーメット棒支持部１０Ａの上面は、９列のカッター用溝１０１によって、１０列の帯状部分に区分されている。
【００３５】
サーメット棒支持部１０Ａの上面には、固定板１０の長手方向に沿って、複数のサーメット棒用溝１０２が平行に並んで形成されている。即ち、カッター用溝１０１とサーメット棒用溝１０２は互いに直交するように形成されている。図示の例では、サーメット棒用溝１０２の断面形状はＶ字形であるが、他の形状、例えば、半円形等であってもよい。また、サーメット棒用溝１０２の個数は任意であるが、例えば、３０列であってよい。カッター用溝１０１の深さは、サーメット棒用溝１０２の底部の深さより大きいか、又は、等しい。従って、サーメット棒用溝１０２は、カッター用溝１０１の部分では途切れている。
【００３６】
第１の押さえ部材２０は矩形断面の板材に軸線方向に延びる凹部２０Ａを形成することによって製造される。凹部２０Ａの幅方向の寸法は、固定板１０の幅方向の寸法Ｂに対応している。従って、第１の押さえ部材２０の凹部２０Ａは固定板１０に係合することができる。凹部２０Ａの内面には弾性部材２１が装着されている。弾性部材２１は、例えば、ニトリルゴム、シリコンゴム等の合成ゴムによって形成されてよい。
【００３７】
第１の押さえ部材２０の上面には、幅方向に沿って、複数のカッター用スリット２０１が平行に並んで形成されている。図示の例では、７列のカッター用スリット２０１が形成されている。即ち、回転カッター３の回転刃の数より２個だけ少ないカッター用スリット２０１が形成されている。隣接する２つのカッター用スリット２０１の間の間隔、即ち、スリットピッチは、回転カッター３の隣接する２つの回転刃の間隔、即ち、回転刃ピッチに等しい。
【００３８】
カッター用スリット２０１は、第１の押さえ部材２０の凹部２０Ａの内面まで達している。凹部２０Ａに装着された弾性部材２１にも、カッター用スリット２０１に対応して、且つ、カッター用スリット２０１に通ずる複数のスリットが形成されている。
【００３９】
第２の押さえ部材２２、２４は細長い矩形部材によって形成されている。第２の押さえ部材２２、２４の長手方向の寸法は、固定板１０の幅方向の寸法Ｂに対応している。一方、第２の押さえ部材２２、２４の幅方向の寸法は、固定板１０のサーメット棒支持部１０Ａの両側の２列の帯状部分の幅に対応している。第２の押さえ部材２２、２４の下面には弾性部材２３、２５が、それぞれ装着されている。弾性部材２３、２５は、例えば、ニトリルゴム、シリコンゴム等の合成ゴムによって形成されてよい。
【００４０】
固定板１０のサーメット棒支持部１０Ａにはネジ穴１０７が形成されている。第１の押さえ部材２０には、孔２０７が形成されている。第２の押さえ部材２２、２４には、孔２２７、２４７が、それぞれ形成されている。固定板１０のネジ穴１０７の位置は、第１及び第２の押さえ部材２２、２４の孔２０７、２２７、２４７の位置に対応している。
【００４１】
次に本実施形態のサーメット棒固定装置１の組立方法を説明する。先ず、固定板１０のサーメット棒支持部１０Ａのサーメット棒用溝１０２に、複数のサーメット棒をそれぞれ配置する。サーメット棒用溝１０２に配置されたサーメット棒は、それぞれ隣接するサーメット棒に接触しないように、互いに離れて配置される。サーメット棒用溝１０２が３０列であるとして、３０本サーメット棒を用意する。本例では、９個の回転刃を備えた回転カッター３を用いる。サーメット棒の両端を切り落とし、残りの部分を７か所で切断する。従って、１本のサーメット棒から、８個の導電性サーメットが得られる。３０本のサーメット棒から２４０本の導電性サーメットが得られる。
【００４２】
サーメット棒の長さ寸法は、少なくとも両端が、第１の押さえ部材２０の両側より突出し、第２の押さえ部材２２、２４によって押さえつけられることができるために十分な大きさである。
【００４３】
次に、第１の押さえ部材２０を固定板１０の上に被せるように配置する。第１の押さえ部材２０の凹部２０Ａを固定板１０のサーメット棒支持部１０Ａに係合させる。それによって第１の押さえ部材２０の凹部２０Ａの弾性部材２１は、サーメット棒に接触する。次に、ボルト２７を第１の押さえ部材２０の孔２０７に挿通し、固定板１０のネジ穴１０７に係合させる。こうして、第１の押さえ部材２０を固定板１０に装着することによって、サーメット棒は、第１の押さえ部材２０の凹部２０Ａの弾性部材２１によって押圧され、固定される。
【００４４】
次に、第２の押さえ部材２２、２４を第１の押さえ部材２０の両側から、固定板１０の上に被せるように配置する。同様に、ボルト２７を第２の押さえ部材２２、２４の孔２２７、２４７に挿通し、固定板１０のネジ穴１０７に係合させる。こうして、第２の押さえ部材２２、２４を固定板１０に装着することによって、サーメット棒の両端は、第２の押さえ部材２２、２４の弾性部材２３、２５によって押圧され、固定される。
【００４５】
図３を参照して、固定板の上にサーメット棒を配置する方法を詳細に説明する。固定板１０は中央部分のサーメット棒支持部１０Ａとその両側の取付部１０Ｂ、１０Ｃを有する。サーメット棒支持部１０Ａにおける固定板の厚さは、取付部１０Ｂ、１０Ｃにおける固定板の厚さより大きい。従って、サーメット棒支持部１０Ａの上面と取付部１０Ｂ、１０Ｃの上面の境界に段差１０ｂ、１０ｃが形成されている。サーメット棒支持部１０Ａの上面には、固定板１０の幅方向に沿って、９列のカッター用溝１０１が平行に並んで形成されている。サーメット棒支持部１０Ａの上面は、９列のカッター用溝１０１によって、１０列の帯状部分に区分されている。帯状部分の幅は、回転カッター３の回転刃ピッチに等しい。
【００４６】
サーメット棒支持部１０Ａの上面には、固定板１０の長手方向に沿って、複数のサーメット棒用溝１０２が平行に並んで形成されている。サーメット棒用溝１０２は、カッター用溝１０１の部分では途切れている。
【００４７】
図３に示した例では、固定板１０のサーメット棒支持部１０Ａのサーメット棒用溝１０２に、４本のサーメット棒５が配置されている。サーメット棒５の両端は、固定板１０のサーメット棒支持部１０Ａの１０列の帯状部分のうち、両側の２つの帯状部分に配置されている。本実施例では、サーメット棒の長さ寸法は、少なくとも両端が、第１の押さえ部材２０の両側より突出し、第２の押さえ部材２２、２４によって押さえつけられることができるために十分な大きさであることが好ましい。しかしながら、本実施形態によればサーメット棒の長さ寸法は、それより長くてもよいし短くてもよいことに留意されたい。
【００４８】
図４を参照して、固定板１０のサーメット棒支持部１０Ａのサーメット棒用溝１０２に、サーメット棒５を配置する方法を説明する。図４は、固定板１０のサーメット棒支持部１０Ａの端部の形状を示す拡大図である。図示のように、サーメット棒支持部１０Ａの端部には段差１０ｂが形成されている。段差１０ｂの厚さ方向の寸法をｈとする。
【００４９】
サーメット棒支持部１０Ａには、カッター用溝１０１とサーメット棒用溝１０２が互いに直交する方向に延びている。カッター用溝１０１の深さは、サーメット棒用溝１０２の底部の深さに等しいか又はそれより大きいから、サーメット棒用溝１０２は、カッター用溝１０１の部分では途切れている。カッター用溝１０１の深さは、段差１０ｂの厚さ方向の寸法ｈに等しくてもよい。
【００５０】
図示の例では、サーメット棒用溝１０２の断面形状はＶ字形である。一方、サーメット棒５は円形断面を有する。サーメット棒用溝１０２にサーメット棒５を配置すると、サーメット棒５の上側は、サーメット棒用溝１０２より露出する。サーメット棒５の上側は、固定板１０のサーメット棒支持部１０Ａの上面１０ａより突出する。従って、第１の押さえ部材２０を固定板１０に装着すると、第１の押さえ部材２０の凹部２０Ａの弾性部材２１は、サーメット棒５に接触する。第２の押さえ部材２２、２４を固定板１０に装着すると、第２の押さえ部材２２、２４の弾性部材２３、２５はサーメット棒５に接触する。
【００５１】
図示の例では、サーメット棒５の端部５Ａは、サーメット棒支持部１０Ａの端の帯状部分に配置され、サーメット棒支持部１０Ａの端部の段差１０ｂより突出していない。しかしながら、サーメット棒５の端部５Ａは、サーメット棒支持部１０Ａの端部の段差１０ｂより突出してもよい。
【００５２】
図５を参照して、固定板１０のサーメット棒支持部１０Ａの上に配置されたサーメット棒５の支持状態を説明する。固定板１０のサーメット棒支持部１０Ａの上面には複数列のサーメット棒用溝１０２が形成され、そこに円形断面のサーメット棒５が配置されている。サーメット棒５の上側は、サーメット棒用溝１０２より突出している。第１の押さえ部材２０の凹部２０Ａの弾性部材２１は、サーメット棒用溝１０２より突出したサーメット棒５の上面に接触している。第１の押さえ部材２０からの押し付け力によって、弾性部材２１は収縮し、弾性力を生成する。この弾性力によって、サーメット棒５は、サーメット棒用溝１０２に押し付けられる。サーメット棒５の外径はサーメット棒用溝１０２のピッチより小さい。従って、互いに隣接する２つのサーメット棒５の間には隙間が形成され、両者は接触しない。従って、互いに隣接する２つのサーメット棒５が接触して破損することはない。
【００５３】
以上、本実施形態に係るサーメット棒切断装置について説明したが、これらは例示であって、本発明の範囲を制限するものではない。当業者が、本実施形態に対して容易になしえる追加・削除・変更・改良等は、本発明の範囲内である。本発明の技術的範囲は、添付の特許請求の記載によって定められる。
【符号の説明】
【００５４】
１…サーメット棒固定装置、３…回転カッター、５…サーメット棒、５Ａ…端部、１０…固定板、１０Ａ…サーメット棒支持部、１０Ｂ、１０Ｃ…取付部、１０ａ…上面、１０ｂ、１０ｃ…段差、２０…第１の押さえ部材、２０Ａ…凹部、２１…弾性部材、２２、２４…第２の押さえ部材、２３、２５…弾性部材、２７…ボルト、３０…回転軸、３１〜３９…回転刃、１０１…カッター用溝、１０２…サーメット棒用溝、１０７…ネジ穴、２０１…カッター用スリット、２０２、２０３…隙間、２０７…孔、２２７、２４７…孔
【図１】
2014042975.tif 000003
【図２】
2014042975.tif 000004
【図３】
2014042975.tif 000005
【図４】
2014042975.tif 000006
【図５】
2014042975.tif 000007